(57)【要約】      （修正有）【課題】内袋２内に外袋１を無理なく詰め込むことができ、かつ、詰め込みの終了状態において内袋に歪みなどを生じさせないようにする。【解決手段】外袋１の開口１０と内袋２の開口２０とを向き合わせるように外袋１内から内袋２を引き出させた状態から外袋１の両側部１１、１１を折りたたんで内袋２の幅に合わせた後、外袋１をその幅方向に沿って一箇所又は複数箇所で折って畳みこの内袋２内に詰め込めるように構成された袋物である。内袋２は向き合った二面部２１、２１よりなると共に、一方の面部２１を内袋２の開口２０よりも上方に延出させており、内袋２はこの延出部２４の上辺側を外袋１の開口縁部１０ａに止着させて外袋１内に納められていると共に、この延出部２４の両側辺がそれぞれ、その上辺に向かうに連れて次第に延出部２４の幅を狭める向きに傾斜されている。【選択図】図２
0003115557.tif 000002
【実用新案登録請求の範囲】
【請求項１】
袋物主体となる外袋と、この外袋内にあってポケットとなる内袋とを有し、外袋の開口と内袋の開口とを向き合わせるように外袋内から内袋を引き出させた状態から外袋の両側部を折りたたんで内袋の幅に合わせた後、外袋をその幅方向に沿って一箇所又は複数箇所で折って畳みこの内袋内に詰め込めるように構成された袋物であって、
内袋は向き合った二面部を持つと共に、一方の面部を内袋の開口よりも上方に延出させており、
内袋はこの延出部の上辺側を外袋の開口縁部に止着させて外袋内に納められていると共に、
この延出部の両側辺がそれぞれ、その上辺に向かうに連れて次第に延出部の幅を狭める向きに傾斜されていることを特徴とする袋物。
【請求項２】
外袋の開口縁部における向き合った位置にそれぞれ、帯両端をこの開口縁部に止着させてなる帯状持ち手が設けられており、この帯状持ち手の帯端の外縁を通る仮想の縦折り線を中心として外袋の両側部をそれぞれ内袋の幅に合わせて折りたたむようになっていると共に、
この帯状持ち手の帯両端の外縁間の寸法が、内袋の幅と略同じか、内袋の幅よりも小さくなるようにしてあることを特徴とする請求項１記載の袋物。
【請求項３】
内袋の開口側と延出部とに、この内袋に外袋を詰め込んだときに掛合し合う面状ファスナーが設けられていることを特徴とする請求項１又は請求項２記載の袋物。
【考案の詳細な説明】
【技術分野】
【０００１】
この考案は、外袋内にポケットとなる内袋を有し、使用をしないときには、この内袋内に外袋を詰め込んでコンパクトにまとめることができるようにした袋物の改良に関する。
【背景技術】
【０００２】
外袋１００の開口１０１に延出部２０１を介して吊り下げ状に支持されて通常は外袋１００内のポケットとして利用される内袋２００を備えた袋物があった。（図７参照）この袋物にあっては、延出部２０１を利用して、外袋１００の開口１０１と内袋２００の開口２０２を向き合わせるように外袋１００内から内袋２００を引き出させた状態から外袋１００の両側部１０２、１０２を折りたたんで内袋２００の幅Ｗに合わせた後、外袋１００をその幅方向に沿って一箇所又は複数箇所で折って畳みこの内袋２００の開口２０２を通じて内袋２００内に詰め込むことができるようになっている。しかし、従来のこの種の袋物では、内袋２００の幅Ｗと延出部２０１の幅Ｗ’とが同じであったため、かかる内袋２００内への外袋１００の詰め込みにあたって延出部２０１を内袋２００内に入れ込みがたく、また、この詰め込みの終了状態において内袋２００に歪みなどを生じさせてしまい易いものであった。
【考案の開示】
【考案が解決しようとする課題】
【０００３】
この考案が解決しようとする主たる問題点は、この種の袋物において、内袋内に外袋を無理なく詰め込むことができ、かつ、詰め込みの終了状態において内袋に歪みなどを生じさせないようにする点にある。
【課題を解決するための手段】
【０００４】
前記課題を達成するために、この考案にあっては、袋物を以下の（１）〜（４）の構成を備えたものとした。
（１）袋物主体となる外袋と、この外袋内にあってポケットとなる内袋とを有し、外袋の開口と内袋の開口とを向き合わせるように外袋内から内袋を引き出させた状態から外袋の両側部を折りたたんで内袋の幅に合わせた後、外袋をその幅方向に沿って一箇所又は複数箇所で折って畳みこの内袋内に詰め込めるように構成された袋物であって、
（２）内袋は向き合った二面部を持つと共に、一方の面部を内袋の開口よりも上方に延出させており、
（３）内袋はこの延出部の上辺側を外袋の開口縁部に止着させて外袋内に納められていると共に、
（４）この延出部の両側辺がそれぞれ、その上辺に向かうに連れて次第に延出部の幅を狭める向きに傾斜されている。
【０００５】
かかる構成によれば、外袋の開口と内袋の開口とが向き合うように外袋内から内袋を引き出させ、次いで、外袋の両側部を折りたたんで外袋の幅を内袋の幅に合わせた後、外袋をその幅方向に沿って折って畳み内袋の開口から内袋内に詰め込むに際して、この詰め込みの終了状態において延出部の上辺側を外袋と一緒に内袋内に無理なく入れ込ませることができ、この詰め込み状態において内袋を構成する生地に歪みなどを生じさせることがない。すなわち、延出部における外袋に対する止着箇所側は、延出部の上辺に向かうに連れて幅狭となっていることから、前記詰め込みの終了状態において延出部の上辺側は内袋内にこの内袋を押し広げさせたり、あるいは、この延出部を歪めたりすることなく、内袋内に入り込み納まる。
【０００６】
前記外袋の開口縁部における向き合った位置にそれぞれ、帯両端をこの開口縁部に止着させてなる帯状持ち手を設け、この帯状持ち手の帯端の外縁を通る仮想の縦折り線を中心として外袋の両側部をそれぞれ内袋の幅に合わせて折りたたむようにしておくと共に、
この帯状持ち手の帯両端の外縁間の寸法が、内袋の幅と略同じか、内袋の幅よりも小さくなるようにしておくこともある。
【０００７】
このようにした場合、内袋内に前記のように外袋を詰め込むときに、帯状持ち手の一方を支障なく内袋内に入れ込めることができると共に、詰め込みの終了状態においては帯状持ち手の他方を内袋の開口から内袋や帯状持ち手に歪みなどを生じさせることなく外方に引き出された状態とすることができ、外袋を詰め込み収納した内袋をこのように引き出された帯状持ち手の他方を利用して手に提げるようにすることもできる。内袋の開口側と延出部とに、この内袋に外袋を詰め込んだときに掛合し合う面状ファスナーを設けておけば、この外袋の詰め込み終了状態を安定的に維持させることができる。
【考案の効果】
【０００８】
この考案にかかる袋物にあっては、内袋の開口から上方に延びる延出部が外袋との止着箇所に向かうに連れて幅狭となるようにしてあることから、この延出部を利用して内袋内に外袋を無理なく詰め込むことができると共に、詰め込みの終了状態において延出部を内袋内に抵抗無く入れ込ませることができ、この状態において内袋に歪みなどを生じさせることがない。
【考案を実施するための最良の形態】
【０００９】
以下、図１ないし図６に基づいて、この考案を実施するための最良の形態について説明する。
【００１０】
なお、ここで図１は、実施の形態にかかる袋物をその一面側から見た状態として、図６は、これを縦断面の状態として、図２は、外袋１内から内袋２を引き出した状態の袋物を他面側から見た状態として、また、図３および図４は、図２の状態から外袋１を内袋２の幅に合わせるようにその両側部１１、１１を折りたたんだ後に、これを幅方向に沿って折りたたんでなす、内袋２への外袋１の収納過程を示している。また、図５は、内袋２への外袋１の詰め込み終了状態を図２ないし図４と反対の向きから見て示している。
【００１１】
この実施の形態にかかる袋物は、トートバッグ状に構成されていると共に、外袋１内にポケットとなる内袋２を有し、使用をしないときには、この内袋２内に外袋１を詰め込んでコンパクトにまとめることができるようにしたものである。
【００１２】
すなわち、かかる袋物は、袋物主体となる外袋１と、この外袋１内にあってポケットとなる内袋２とを有している。そして、かかる袋物は、外袋１の開口１０と内袋２の開口２０とを向き合わせるように外袋１内から内袋２を引き出させた状態から外袋１の両側部１１、１１を折りたたんで内袋２の幅Ｗに合わせた後、外袋１をその幅方向に沿って一箇所又は複数箇所で折って畳みこの内袋２内に詰め込めるように構成されている。
【００１３】
図示の例では、外袋１は、略方形の二枚の生地１２、１２を重ね合わせて、その三辺において止着させ合わせることにより構成されており、止着されていない残りの一辺を横長の開口１０として、外袋１内からの物の取り出しと外袋１内への物の入れ込みができるようになっている。図示の例では、この開口縁部１０ａであって、その幅方向略中程の位置で、かつ、前記二枚の生地１２、１２の内面側にはぞれぞれ、面状ファスナー１３が設けられている。二枚の生地１２、１２の一方に設けられた面状ファスナー１３と他方に設けられた面状ファスナー１３とは雌雄をなし、両面状ファスナー１３を掛合させ合わせることにより、外袋１の開口１０をその幅方向略中程の位置で簡易にとじ合わせることができるようになっている。図示の例とは別に、外袋１の開口１０は、ボタンやスライドファスナーなどによってとじ合わせることができるようにしてあっても良い。
【００１４】
一方、内袋２は向き合った二面部２１、２１よりなると共に、一方の面部２１を内袋２の開口２０よりも上方に延出させている。
【００１５】
図示の例では、内袋２は、外袋１に対し、左右、上下寸法共に小さくなるように構成されている。また、内袋２の一方の面部２１を構成する第一生地２２に、内袋２の他方の面部２１を構成する第一生地２２より上下寸法を小さくする第二生地２３を、第一生地２２の底辺２２ｂと第二生地２３の底辺２３ｂを止着させ、かつ、第一生地２２の上辺２２ａと第二生地２３の上辺２３ａとの間に間隔を開けた状態で、この第一生地２２の左辺２２ｃおよび右辺２２ｄと第二生地２３の左辺２３ｃおよび右辺２３ｄとを止着させ合わせることにより、構成されている。そして、第二生地２３の上辺２３ａの位置に内袋２の開口２０が位置されるようになっている。また、第一生地２２の上辺２２ａと第二生地２３の上辺２３ａとの間にある第一生地２２の上部が前記のように延出された延出部２１として機能するようになっている。
【００１６】
そして、内袋２は、かかる延出部２４の上辺側を外袋１の開口縁部１０ａに止着させて外袋１内に納められている。
【００１７】
図示の例にあっては、かかる内袋２は、外袋１の開口縁部１０ａの長さ方向略中程の位置において、外袋１を構成する二枚の生地１２、１２の一方に、延出部２４の上辺、つまり、第一生地２２の上辺２２ａをその全長に亘って止着させることにより、外袋１内にあってこの外袋１の開口縁部１０ａから吊り下げられたような様子で備えられている。第二生地２３は第一生地２２よりも外袋１の内方に位置されている。そして、通常は、この内袋２は、外袋１内における小物入れとして用いられるようになっている。
【００１８】
そして、この実施の形態にあっては、かかる延出部２４の両側辺、つまり、延出部２４における第一生地２２の左辺２２ｃおよび右辺２２ｄがそれぞれ、この第一生地２２の上辺２２ａに向かうに連れて次第にかかる延出部２４の幅を狭める向きに傾斜されている。すなわち、第一生地２２は、内袋２の開口２０から第一生地２２の上辺２２ａに近づくに連れて次第に左右寸法を狭めるように形成されている。
【００１９】
これにより、この実施の形態にかかる袋物にあっては、外袋１の開口１０と内袋２の開口２０とが向き合うように外袋１内から内袋２を引き出させ、（図２）次いで、外袋１の両側部１１、１１を折りたたんで外袋１の幅を内袋２の幅Ｗに合わせた後、（図２）外袋１をその幅方向に沿って折って畳み内袋２の開口２０から内袋２内に詰め込むに際して、（図３、図４そして図５）この詰め込みの終了状態（図５）において延出部２４の上辺側を外袋１と一緒に内袋２内に無理なく入れ込ませることができ、この詰め込み状態において内袋２を構成する生地２２、２３に歪みなどを生じさせることがない。すなわち、延出部２４における外袋１に対する止着箇所側は、延出部２４の上辺に向かうに連れて幅狭となっていることから、前記詰め込みの終了状態において延出部２４の上辺側は内袋２内にこの内袋２を押し広げさせたり、あるいは、この延出部２４を歪めたりすることなく、内袋２内に入り込み納まる。（図５）
【００２０】
また、この実施の形態にあっては、外袋１の開口縁部１０ａにおける向き合った位置にそれぞれ、帯両端１４ａ、１４ａをこの開口縁部１０ａに止着させてなる帯状持ち手１４が設けられており、この帯状持ち手１４の帯端１４ａの外縁１４ｂを通る仮想の縦折り線ｘを中心として外袋１の側部１１をそれぞれ外袋１を内袋２の幅に合わせて折りたたむようになっていると共に、
この帯状持ち手１４の帯両端１４ａ、１４ａの外縁１４ｂ間の寸法が、内袋２の幅Ｗと略同じか、内袋２の幅Ｗよりも小さくなるようにしてある。
【００２１】
図示の例では、帯状持ち手１４は、外袋１を構成する二枚の生地１２、１２の左右方向略中程の位置においてそれぞれ、前記のように備えられている。内袋２は、この帯状持ち手１４の帯両端１４ａ、１４ａの外縁１４ｂをそれぞれ通る仮想の縦折り線ｘの一方に左辺を沿わせ、かつ、この縦折り線ｘの他方に右辺を沿わせるようにして、外袋１に延出部２４の上辺を止着させている。
【００２２】
これにより、この実施の形態にあっては、内袋２内に前記のように外袋１を詰め込むときに、帯状持ち手１４の一方を支障なく内袋２内に入れ込めることができると共に、詰め込みの終了状態においては帯状持ち手１４の他方を内袋２の開口２０から内袋２や帯状持ち手１４に歪みなどを生じさせることなく外方に引き出された状態とすることもでき、（図５）外袋１を詰め込み収納した内袋２をこのように引き出された帯状持ち手１４の他方を利用して手に提げるようにすることもできる。もちろん、詰め込みの終了状態において、帯状持ち手１４の双方を内袋２内に入れ込むこともできる。
【００２３】
また、この実施の形態にあっては、内袋２の第二生地２３の開口２０側の内面と、第一生地２２における第二生地２３との重ね合わせ側と反対の側における延出部２４の一面とにそれぞれ、面状ファスナー２５が設けられており、前記詰め込みの終了状態において両面状ファスナー２５、２５を掛合させ合わせることができるようになっている。
【図面の簡単な説明】
【００２４】
【図１】袋物の斜視構成図
【図２】同斜視構成図
【図３】内袋２への外袋１の収納過程を示した斜視構成図
【図４】内袋２への外袋１の収納過程を示した斜視構成図
【図５】詰め込み終了状態の斜視図
【図６】図１におけるＡ−Ａ線断面図
【図７】従来の袋物の要部破断斜視構成図
【符号の説明】
【００２５】
１  外袋
１０  開口
１１  側部
２  内袋
Ｗ  幅
２４  延出部
【図１】
0003115557.tif 000003
【図２】
0003115557.tif 000004
【図３】
0003115557.tif 000005
【図４】
0003115557.tif 000006
【図５】
0003115557.tif 000007
【図６】
0003115557.tif 000008
【図７】
0003115557.tif 000009